Podtech/llm-jp-corpus-v4-ja_patent huggingface dataset:
(57)【要約】      （修正有）【課題】眼鏡の置き場を失念したり、放置して破損したりすることを防止出来る眼鏡ケースを提供する。【解決手段】上開きの蓋６を開閉して眼鏡を長さ方向に縦型の眼鏡ケース３に収納するから、滑らかに出し入れ出来る。ケース後部には、腰ベルトや衣服等に装着するためのクリップ５を紐４で付随させてケースを携帯するから、眼鏡は安全に携帯されて頻繁な出し入れにも便利に対応出来る。レンズ拭き布もケース前部の子袋に収納するから、紙やハンカチを使うことなく、場所も選ばず簡便に使用出来る。【選択図】図１
0003172287.tif 000002
【実用新案登録請求の範囲】
【請求項１】
眼鏡を長手方向に出し入れして収納する縦型ケース本体の上部にマジックテープで開閉出来る蓋をつけ、ケース本体の後部には、腰ベルトや上衣のポケット縁等に装着するためのクリップを、紐で付随させた携帯用眼鏡収納ケース。
【請求項２】
ケース本体の前部にレンズ拭き布を入れるための子袋を設けた携帯用眼鏡収納ケース。
【考案の詳細な説明】
【技術分野】
【０００１】  本考案は、眼鏡の携帯用収納ケースに関する。
【背景技術】
【０００２】  従来の眼鏡ケースは蓋が横開き型であり、携帯にも不便であった。レンズ拭き布も眼鏡と共に収納していた（図３）。
【考案の開示】
【考案が解決しようとする課題】
【０００３】  しかし、横開き型眼鏡ケースは蓋の開閉が煩わしいため、眼鏡をケースに入れずに放置して、置き場所を失念したり、うっかり破損させてしまうことが多かった。また、外出中にレンズ拭き布を使用する際には、ケースの置き場所を要する煩わしさもあった。
【課題を解決するための手段】
【０００４】  そこで、上蓋を開いて眼鏡をケースの長手方向に出し入れ出来る携帯用縦型収納ケースを考案した。このケース本体には腰ベルトや上衣のポケット等の縁を挟んで衣服に装着し、携帯出来るようにするためのクリップを付けてある（図１、図２）。レンズ拭き布の出し入れも、眼鏡の収納に関係なく、携帯したままでケース前部の子袋に簡便に出し入れ出来るのである。
【本考案の効果】
【０００５】  よって、本考案の眼鏡ケースを常に携帯することにより、外出時のみならず、会議や講演中に頻繁に眼鏡をかけ外しする際にも、眼鏡ケースへの出し入れは極めて滑らかになり、書類等もある机上に置く際の置き場所を確保する煩わしさもなくなる。このため、眼鏡の置き場所を失念したり、放置して破損したりすることを防止出来るのである。また、レンズ拭き布の使用に際しても、外出時にも場所を選ばず簡便に出し入れ出来るから、汚れたハンカチ等を使わずに済むことになる。
【考案を実施するための最良の形態】
【０００６】  本考案に係る眼鏡ケースは、図１及び図２に示すように、眼鏡ケース本体３の後部に、紐４で付随させたクリップ５によって腰ベルトや上衣のポケット縁等に装着して携帯するが、眼鏡フレームは繊細な構造のものが多く、レンズの面も傷つけないようにすることが望ましいから、ケース本体の材質は軽量で、且つある程度の強度を持つ材料で製作することが望ましい。蓋６は、マジックテープ１によって開閉するため柔軟な生地の布でよい。本体前部にはレンズ拭き布の収納を便利にするための子袋２を設ける。
【図面の簡単な説明】
【０００７】
【図１】  本考案に係る眼鏡ケースの蓋を開いた状態を斜め前方から見た立面図である。
【図２】  本考案に係る眼鏡ケースの蓋を閉じた状態を斜め後方から見た立面図である。
【図３】  従来の横開き型眼鏡ケースの例を斜め前方から見た立面図である。
【符号の説明】
【０００８】１    マジックテープ
２    レンズ拭き布入れ子袋
３    眼鏡ケース本体
４    紐
５    クリップ
６    蓋
【図１】
0003172287.tif 000003
【図２】
0003172287.tif 000004
【図３】
0003172287.tif 000005
【手続補正書】
【提出日】平成23年9月29日(2011.9.29)
【手続補正１】
【補正対象書類名】実用新案登録請求の範囲
【補正対象項目名】全文
【補正方法】変更
【補正の内容】
【実用新案登録請求の範囲】
【請求項１】
眼鏡を長手方向に出し入れして収納する縦型ケース本体の上部に面ファスナーで開閉出来る蓋をつけ、ケース本体の後部には、腰ベルトや上衣のポケット縁等に装着するためのクリップを、紐で付随させた携帯用眼鏡収納ケース。
【請求項２】
ケース本体の前部にレンズ拭き布を入れるための子袋を設けることを特徴とする請求項１記載の携帯用眼鏡収納ケース。
【手続補正２】
【補正対象書類名】明細書
【補正対象項目名】０００６
【補正方法】変更
【補正の内容】
【０００６】  本考案に係る眼鏡ケースは、図１及び図２に示すように、眼鏡ケース本体３の後部に、紐４で付随させたクリップ５によって腰ベルトや上衣のポケット縁等に装着して携帯するが、眼鏡フレームは繊細な構造のものが多く、レンズの面も傷つけないようにすることか望ましいから、ケース本体の材質は軽量で、且つある程度の強度を持つ材料で製作することが望ましい。蓋６は、面ファスナー１によって開閉するため柔軟な生地の布でよい。本体前部にはレンズ拭き布の収納を便利にするための子袋２を設ける。
【手続補正３】
【補正対象書類名】明細書
【補正対象項目名】０００８
【補正方法】変更
【補正の内容】
【０００８】１  面ファスナー
２  レンズ拭き布入れ子袋
３  眼鏡ケース本体
４  紐
５  クリップ
６  蓋
(57)【要約】      （修正有）【課題】電子機器のイヤホーンの出力端子の穴を塞ぎ、ピアスを装着し楽しめるようにするイヤホーン出力端子挿入部材を提供する。【解決手段】電子機器のイヤホーンの出力端子の穴に脱着可能に装着され、先端が細くなっている略円筒形の形状を有する装着部材と、前記装着部材の横幅よりも広い横幅を有し、底面と上面と側面を有する略円盤形状を有し、前記上面のほぼ中央に装着部材が配置されるように形成される係止部材とからイヤホーン出力端子挿入部材を形成する。さらに、前記イヤホーン出力端子挿入部材は、前記イヤホーン出力端子挿入部材の長手方向に前記係止部材の前記底面のほぼ中央から延びる所定の長さを有する縦穴を有する。【選択図】図２
0003172278.tif 000002
【実用新案登録請求の範囲】
イヤホーンの出力端子に装着するピアスについての請求項
【請求項１】
図１の様に電子機器のイヤホーンの入力端子の差込部分と同型の部品を硬質ゴムで作成する。
【請求項２】
図１の様にゴム製の部品の中央部に縦穴を空け、ピアスが差し込める様にする。
【請求項３】
図１の縦穴の内径はピアスの針部分の外径より、細くする。
【考案の詳細な説明】
【考案の詳細な説明】
この考案は電子機器のイヤホーンの出力端子の穴にピアスを装着できるように、考案されました。
ピアスを装着する事で電子機器が華やかに変化し、所持者が楽しめます。
更に自身が所持してる、ピアスを簡単に装着でき、取替えが自由にできます。
図１の硬質ゴム製の部品をイヤホーンの出力端子の穴に差込、図３のピアスを硬質ゴム製の部品の穴に差し込みます。このとき、硬質ゴム製の部品の縦穴はピアスの針より、細い径ですので、ピアスを差し込む動作により、硬質ゴムの外形が太くなり、出力端子の穴と密着します。
【図面の簡単な説明】
【図１】本考案の斜視図
【図２】本考案の断面図
【図３】ピアス本体
【図４】図１に図３を差し込んだ図
【図５】電子機器に図４を差し込んだ正面図
【図６】電子機器に図４を差し込んだ斜視図
【図１】
0003172278.tif 000003
【図２】
0003172278.tif 000004
【図３】
0003172278.tif 000005
【図４】
0003172278.tif 000006
【図５】
0003172278.tif 000007
【図６】
0003172278.tif 000008
【手続補正書】
【提出日】平成23年8月11日(2011.8.11)
【手続補正１】
【補正対象書類名】実用新案登録請求の範囲
【補正対象項目名】全文
【補正方法】変更
【補正の内容】
【実用新案登録請求の範囲】
【請求項１】
電子機器のイヤホーンの出力端子の穴に脱着可能に装着され、先端が細くなっている略円筒形の形状を有する装着部材と、
前記装着部材の横幅よりも広い横幅を有し、底面と上面と側面を有する略円盤形状を有し、前記上面のほぼ中央に装着部材が配置されるように形成される係止部材とからなるイヤホーン出力端子挿入部材であって、
前記イヤホーン出力端子挿入部材は、
前記イヤホーン出力端子挿入部材の長手方向に前記係止部材の前記底面のほぼ中央から延びる所定の長さを有する縦穴を有する
ことを特徴するイヤホーン出力端子挿入部材。
【請求項２】
硬質ゴムから形成されることを特徴とする請求項１に記載のイヤホーン出力端子挿入部材。
【請求項３】
前記縦穴の幅は，挿入されるピアス針よりも細く形成されていることを特徴とする請求項１および２に記載のイヤホーン出力端子挿入部材。
【手続補正書】
【提出日】平成23年10月12日(2011.10.12)
【手続補正１】
【補正対象書類名】実用新案登録請求の範囲
【補正対象項目名】全文
【補正方法】変更
【補正の内容】
【実用新案登録請求の範囲】
【請求項１】
電子機器のイヤホーンの出力端子の穴に脱着可能に装着され、先端が細くなっている略円筒形の形状を有する装着部材と、
前記装着部材の横幅よりも広い横幅を有し、底面と上面と側面を有する略円盤形状を有し、前記上面のほぼ中央に装着部材が配置されるように形成される係止部材とからなるイヤホーン出力端子挿入部材であって、
前記イヤホーン出力端子挿入部材は、
前記イヤホーン出力端子挿入部材の長手方向に前記係止部材の前記底面のほぼ中央から延びる所定の長さを有する縦穴を有する
ことを特徴するイヤホーン出力端子挿入部材。
【請求項２】
硬質ゴムから形成されることを特徴とする請求項１に記載のイヤホーン出力端子挿入部材。
【請求項３】
前記縦穴の幅は，挿入されるピアス針よりも細く形成されていることを特徴とする請求項１または２に記載のイヤホーン出力端子挿入部材。
(57)【要約】【課題】  真珠に貴金属や宝石を埋め込む為の加工を施し、貴金属や宝石を埋め込んだドリアン型装飾真珠を提供することを目的とする。【解決手段】  真珠の表面に宝石や貴金属などを埋め込み易いように、ドリリングマシーンなどの工具を用いて、真珠の表面に貫通しない穴を空け、宝石や貴金属を真珠の表面から鋭角に突き出すように装飾を施す。【選択図】図１
0003171741.tif 000002
【実用新案登録請求の範囲】
【請求項１】
真珠の表面に宝石や貴金属などを埋め込み易いように、ドリリングマシーンなどの工具を用いて、貫通しない穴を空け、宝石や貴金属を真珠の表面から鋭角に突き出す様に接着剤を用いて取り付けたドリアン型装飾真珠。
【考案の詳細な説明】
【技術分野】
【０００１】  本考案は、ドリアン型装飾真珠に係り、更に詳しくは、貴金属や宝石の装飾を施した装飾真珠の改良に関する。
【背景技術】
【０００２】  従来の真珠は、表面を磨いたものを単体で、ネックレスやイヤリングとして使う為に、表面を研磨するか、ネックレスのように複数個を繋げる為に、真珠に貫通穴を設けてあるが、基本的に、真珠その物の持ち味を損なう事無く、単体、若しくは複数個使う為の加工が施されているのが一般的なデザインあった。
【考案の概要】
【考案が解決しようとする課題】
【０００３】  従来の真珠は、そのままの真珠の形で装飾品として組み込んで使用する事を常識としており、真珠を使ったアクセサリーをデザインする上での制約となっていた。【０００４】  本考案は、上記の事情に鑑みてなされたものであり、真珠に他の貴金属や宝石を埋め込む為の加工を施す事により、他の貴金属や宝石を埋め込むデザイン性や付加価値を付けることで、また、多様なデザインを可能とし、新しい購買のマーケットを開くことを目的とする。
【課題を解決するための手段】
【０００５】  本考案によるドリアン型装飾真珠は、真珠の表面に貫通しない穴を空け、宝石や貴金属を埋め込んだ装飾を施されて構成される。
真珠の表面に宝石や貴金属などを埋め込み易いように、ドリリングマシーンなどの工具を用いて、真珠の表面に貫通しない穴を空け、宝石や貴金属を、接着剤を用いて真珠の表面から鋭角に突き出すように装飾する事が、上記ドリアン型装飾真珠の構成を満たす条件である。【０００６】  この様な構成によれば、真珠の表面を加工して、他の貴金属や宝石を当該表面に埋め込み易くするので、容易に他の貴金属や宝石の装飾を施すことができる。このため、真珠に多様なデザイン性や付加価値を付けることができる。
【考案の効果】
【０００７】  真珠の表面に宝石や貴金属などを埋め込み易いように、ドリリングマシーンなどの工具を用いて、真珠の表面に貫通しない穴を空け、宝石や貴金属を、接着剤を用いて真珠の表面から鋭角に突き出すように装飾する事で、従来の真珠のアクセサリーに多様なデザイン製や付加価値を付ける事が出来る。
【図面の簡単な説明】
【０００８】
【図１】  本考案の実施の形態によるドリアン型装飾真珠の一構成例を示した外観図である。
【図２】  本考案の実施の形態によるドリアン型装飾真珠の別の一構成例を示した外観図である。
【考案を実施するための形態】
【０００９】  真珠の表面に宝石を埋め込み易いように、ドリリングマシーンなどの工具を用いて真珠の表面に加工を施す。真珠の表面に真珠本体を貫通しない穴を空け、宝石や貴金属が真珠の表面から鋭角に突き出す様に接着剤を用いて取り付けを行う。
【００１０】  図１は、本考案の実施の形態によるドリアン型装飾真珠の一構成例を示した外観図である。ドリアン型装飾真珠１００には、複数の真珠本体を貫通しない穴が設けられ、この溝１に貴金属又は宝石が埋め込まれている。溝は一本でも構わない。この様にして貴金属又は宝石を埋め込むことにより、真珠のデザイン性を向上させる。
【符号の説明】
【００１２】１      宝石
２      貫通しない穴
１００  ドリアン型装飾真珠
２００  ドリアン型装飾真珠
【図１】
0003171741.tif 000003
【図２】
0003171741.tif 000004
(57)【要約】      （修正有）【課題】刃を使用せずに摩擦熱で合成樹脂性フィルムを切断する器具を提供する。【解決手段】使用者がハンドル部１を把握してスイッチ２を押すことにより、バッテリーの電力がモーターに供給されてモーターが回転する。モーターの回転はギア等の動力の伝達方法によって刃を持たないディスク状の切断部３に伝達される。合成樹脂性のフィルムに切断部３を押し当てて、合成樹脂性のフィルムと切断部３に摩擦熱を発生させ、合成樹脂性のフィルムを切断する。【選択図】図１
0003171748.tif 000002
【実用新案登録請求の範囲】
【請求項１】
合成樹脂性フィルムを切断する器具において、刃を持たない回転するディスクによって摩擦熱を発生させることにより、プラスチック等の合成樹脂製のフィルムを表面から切断し、容器の損傷を抑制することを特徴とする合成樹脂性フィルムを切断する器具。
【請求項２】
合成樹脂性フィルムを切断する器具において、使用者がハンドル部（１）を把握してスイッチ（２）を押すことにより、バッテリー（６）の電力がモーター（５）に供給されてモーター（５）が回転し、モーター（５）の回転はギア等の動力の伝達方法によって刃を持たない切断部（３）を回転させ、合成樹脂性のフィルムに切断部（３）を押し当てて、合成樹脂性のフィルムと切断部（３）に摩擦熱を発生させ、合成樹脂性のフィルムを切断する構造を有していることを特徴とする合成樹脂性フィルムを切断する器具。
【考案の詳細な説明】
【技術分野】
【０００１】本考案は、合成樹脂製フィルムを切断するために考案されたものであり、容器を包装している合成樹脂製フィルム、及び複雑な形状の容器に巻かれた剥がしにくい合成樹脂製のラベルを切断して剥がしやすくするために考案されたものである。
【背景技術】
【０００２】従来の刃物等による切断では、合成樹脂製フィルムと容器の間に刃が入りにくく、合成樹脂製フィルムを表面から切断すると、容器まで切断してしまうという問題点があった。
【考案の概要】
【考案が解決しようとする課題】
【０００３】近年、複雑な形状の容器にプラスチック等の合成樹脂からなるフィルムを巻き、フィルムを剥がしにくくなった商品が、多く見受けられるようになった。このような場合、はさみではフィルムと容器の間に刃が入りにくく、ナイフ等の刃物でフィルムを表面から切断すると、容器まで切断してしまうという問題点があった。
【課題を解決するための手段】
【０００４】プラスチック等の合成樹脂製のフィルムは熱に弱く、熱を加えると変質しやすい。
本考案はこの特性を利用し、刃を持たない回転するディスクによって摩擦熱を発生させることにより、プラスチック等の合成樹脂製のフィルムを表面から切断し、容器の損傷を抑制する。
【考案の効果】
【０００５】本考案の合成樹脂製フィルムを切断する器具は、使用者がハンドル部（１）を把握してスイッチ（２）を押すことにより、バッテリー（６）の電力がモーター（５）に供給されてモーター（５）が回転する。モーター（５）の回転はギア等の動力の伝達方法によって刃を持たないディスク状の切断部（３）に伝達される。使用者は切断部（３）が回転している状態で、合成樹脂製のフィルムに切断部（３）を押し当てて、合成樹脂製のフィルムと切断部（３）に摩擦熱を発生させ、合成樹脂製のフィルムを切断する。
また、切断部（３）が回転するため、合成樹脂製のフィルムの巻き込みを抑制し、切断部（３）を合成樹脂製のフィルムに的確に押し当てやすくする、カバー（４）を設けた。
これらにより、合成樹脂製のフィルムを表面から切断し、容器の損傷を抑制することで、従来の刃物等による切断で生じる、合成樹脂製のフィルムと容器の間に刃が入りにくい、合成樹脂製のフィルムを表面から切断すると、容器まで切断してしまうという問題点を解決でき、図４で示している容器の蓋を包装しているフィルムの切断、図５で示している紙パック容器を包装しているフィルムの切断、ペットボトル容器のラベルのフィルムの切断等、容器が損壊すると不都合が生じる状況下で合成樹脂製のフィルムを切断でき、容器から合成樹脂製のフィルムを剥がしやすい。
【考案を実施するための形態】
【０００６】以下、本考案の実施の形態について、図面を参照しつつ詳細に説明する。
本考案の合成樹脂製フィルムを切断する器具は、本体ケース（７）、カバー（４）、スイッチ（２）、バッテリー（６）、モーター（５）、及び切断部（３）を主たる構成要素とする器具である。
また、内部の構造は、スイッチ（２）を押すことで、バッテリー（６）からモーター（５）に電力が供給されてモーター（５）が回転し、モーター（５）の回転がギア等によって切断部（３）に伝達されるように構成されている。
【０００７】本考案の合成樹脂製フィルムを切断する器具の主たる構成要素である、
本体ケース（７）は、使用者が持ちやすいように筒状に形成されたハンドル部（１）、及び、合成樹脂製のフィルムの巻き込みを抑制して切断部（３）を合成樹脂製のフィルムに的確に押し当てやすくする、カバー（４）を有する。
【０００８】本考案の合成樹脂製フィルムを切断する器具の主たる構成要素である、
カバー（４）は、切断部（３）の側面を覆うように形成され、合成樹脂製のフィルムの巻き込みを抑制するとともに、切断部（３）が適正な力以上で合成樹脂製のフィルムに押し当てられることを抑制する機能を有する。
【０００９】本考案の合成樹脂製フィルムを切断する器具の主たる構成要素である、
スイッチ（２）は、バッテリー（６）からモーター（５）への電力を制御する機能を有する。
【００１０】本考案の合成樹脂製フィルムを切断する器具の主たる構成要素である、
切断部（３）は刃を持たないディスクであり、モーター（５）の回転がギア等により伝達されて回転し、回転する切断部（３）と押し当てた合成樹脂製フィルムに摩擦熱を発生させ、押し当てた合成樹脂製フィルムを切断する。これにより、切断部（３）は刃を持たずに、切断対象である合成樹脂製フィルムを効率よく切断し、容器の損壊を抑制することを実現した。
【図面の簡単な説明】
【０００１１】
【図１】本考案の平面図である。
【図２】本考案の正面図である。
【図３】本考案の断面図である。
【図４】本考案の使用例を示す正面図である。
【図５】本考案の使用例を示す正面図である。
【符号の説明】
【０００１２】１    ハンドル部
２    スイッチ
３    切断部
４    カバー
５    モーター
６    バッテリー
７    本体ケース
【図１】
0003171748.tif 000003
【図２】
0003171748.tif 000004
【図３】
0003171748.tif 000005
【図４】
0003171748.tif 000006
【図５】
0003171748.tif 000007
(57)【要約】      （修正有）【課題】し尿を粉末化し、肥料として活用することができるし尿の家庭内処理装置を提供する。【解決手段】排便後、尻が便器から離れると閉まる便うけ部上部のふたと、便に照射して水分を完全に蒸発させる熱発生器室と、完全に乾燥した便が落ち粉砕される粉砕室と、粉砕された便が落ちる貯蔵室とを備え、これら一連の動作がセンサーにより自動的に処理される。【選択図】図２
0003171710.tif 000002
【実用新案登録請求の範囲】
【考案の詳細な説明】
【技術分野】
【０００１】  本考案はし尿などを家庭内の便器に併設した処理装置で加熱、殺菌、消臭して粉末状にして肥料に活用するものである。
【背景技術】
【０００２】  従来、し尿は便器に大量の水を流して、パイプから下水道を通して下水処理場に送り、大規模な処理施設で処理してきた。この方法では、膨大な施設と莫大な経費が必要であった。
【考案の開示】
【考案が解決しようとする課題】
【０００３】  し尿は古来、理想的な肥料として活用されてきた。衛生上あるいは不快なにおいのために現代では肥料として活用することをやめ、自治体によって処理されている。この方法では水洗便器、パイプ、下水道、処理場など膨大な設備と経費がかかっている。
【課題を解決するための手段】
【０００４】  本考案は、便器に併設した電子加熱装置で加熱、消毒、消臭、殺菌して粉砕室の粉砕機で粉砕したものを下の容器にためて取り出して肥料として活用するものである。
【考案の効果】
【０００５】  考案の装置で処理すれば、し尿の大部分を占める水分がなくなるので容量も少なくなり、運搬も容易になり、取り扱いが大変容易になる。さらに肥料として活用すれば資源のリサイクルとして理想的な状態となる。
【考案を実施するための最良の形態】
【０００６】  考案の装置は電子レンジのような形態で、粉末状になったものを下の箱に受けていっぱいになれば取り出して活用する。
【図面の簡単な説明】
【０００７】
【図１】平面図
【図２】側面図
【図３】前面図
【考案を実施するための最良の形態】
【０００８】  便器の便うけ部分の底に便を受けてこれに熱を加えて、水分を蒸発させて乾燥させたものをその下のスペースでタービンで粉砕し、その下の貯蔵箱で貯めて満杯になった状態で取り出して袋詰めにして肥糧として利用するものである。
便うけ部分の底は開閉式にし、水分が完全になくなった時点でセンサーでスイッチを入れて底を開き便を落とし、ここでタービンによって便を粉砕し、粉末状になったものを下の貯蔵箱に落とし、貯蔵箱が満杯になればこれを取り出して袋に移す。
これらの行程はすべて自動的に行う。
【産業上の利用可能性】
【０００９】  現在は大規模な処理施設が大都市を中心にほぼ完備しているが、まだ汲み取り式の処理方式も残っている。こういう所では当考案が有効である。
袋詰めにされた粉末は、無臭でさらさらしたものであるから不潔感もなく、軽く、取り扱いも容易であるので家庭菜園での肥料としての活用も、あるいは近郊の農園などで活用することもできるし、可燃ごみとして処分することもできる。
【符号の説明】
【００１０】  １便器蓋部分
２便器腰当部分
３便うけ部開閉扉
４開閉扉
５便粉砕タービン
６便
７加熱装置
８モーター
９開閉扉
１０貯蔵箱
１１粉砕室
１２便器上部ふた
１３便室
１４粉砕室
１５貯蔵箱
１６熱発生器室
【図１】
0003171710.tif 000003
【図２】
0003171710.tif 000004
【図３】
0003171710.tif 000005
【手続補正書】
【提出日】平成23年4月23日(2011.4.23)
【手続補正１】
【補正対象書類名】実用新案登録請求の範囲
【補正対象項目名】全文
【補正方法】追加
【補正の内容】
【実用新案登録請求の範囲】
【請求項１】
排便後、尻が便器から離れると、便うけ部上部のふたが閉まり、便に電磁波が照射され水分が完全に蒸発し、粉砕室に落ち、粉砕された便が貯蔵室に落ちるこれら一連の動作がセンサーにより自動的に処理されることを特徴とする、屎尿等の家庭内処理装置である。
【手続補正書】
【提出日】平成23年6月21日(2011.6.21)
【手続補正１】
【補正対象書類名】実用新案登録請求の範囲
【補正対象項目名】全文
【補正方法】変更
【補正の内容】
【実用新案登録請求の範囲】
【請求項１】
排便後、尻が便器から離れると閉まる便うけ部上部のふたと、便に照射して水分を完全に蒸発させる熱発生器室と、完全に乾燥した便が粉砕室に落ち粉砕室で粉砕された便が貯蔵室に落ちる。これら一連の動作がセンサーにより自動的に処理されることを特徴とする屎尿等の家庭内処理装置。
【手続補正書】
【提出日】平成23年8月19日(2011.8.19)
【手続補正１】
【補正対象書類名】実用新案登録請求の範囲
【補正対象項目名】全文
【補正方法】変更
【補正の内容】
【実用新案登録請求の範囲】
【請求項１】
排便後、尻が便器から離れると閉まる便うけ部上部のふたと、便に照射して水分を完全に蒸発させる熱発生器室と、完全に乾燥した便が粉砕室に落ち粉砕室で粉砕された便が貯蔵室に落ちる貯蔵室をそなえ、これら一連の動作がセンサ−により自動的に処理されることを特徴とする屎尿等の家庭内処理装置。
(57)【要約】      （修正有）【課題】メラミン樹脂発泡体清掃具を電動で振動させることにより効率的に微細凹部の清掃、天然歯の表面部の微細凹部に入り込んだ汚れを機械的にかき出す機能を有する清掃具を提供する。【解決手段】メラミン樹脂発泡体部１を電動で振動させる振動体２を有する振動部に固着させることにより、手動よりも微細な振動をメラミン樹脂発泡体部に伝達させ、その振動により効率的に微細凹部の清掃、天然歯の表面部の微細凹部に入り込んだ汚れをより深い範囲でかつ、微細箇所まで短時間で機械的にかき出す清掃を可能にした。【選択図】図３
0003171718.tif 000002
【実用新案登録請求の範囲】
【請求項１】
清掃を目的とする物質に対し、表面部に接触させて汚れを除去する清掃部材とこの清掃部材を取り付ける支持部材とを有する清掃具において清掃部材を支持部材に固着したメラミン樹脂発泡体で構成するとともに、この構成壁が清掃を目的とする物質の表面部の微細凹部に入り込んだ汚れを電動で振動させることにより機械的にかき出す機能を有するものとしたことを特徴とする清掃具。
【請求項２】
天然歯表面部に接触させて天然歯表面部の微細凹部に入り込んだ汚れを除去することを目的とした請求項１に記載した掃具。
【考案の詳細な説明】
【考案の詳細な説明】
【技術分野】
【０００１】この考案は、清掃部材として固着したメラミン樹脂発泡体の構成壁を電動で振動させることによりが清掃を目的とする物質の表面部の微細凹部に入り込んだ機械的にかき出すメラミン樹脂発泡体電動清掃具に関するものである。
【背景技術】
【０００２】歯面に付着した生体外由来のタバコのヤニやコーヒー、紅茶、緑茶等による後天的な着色除去を目的としたメラミン樹脂発泡体を使用した歯面清掃商品が特許文献等に紹介され、ドラッグストアー等においても各種商品が販売されている。【０００３】その内容については、メラミン樹脂発泡体を樹脂からなるハンドルに超音波により固定した商品と、長方形に切断されたメラミン樹脂発泡体を取り付け自由となるハンドルに装着した取替え式の商品がある。これらの商品の一部は下記に示す特許文献において紹介されている【０００４】
【特許文献１】  特開２００７−８２７７７  公報  特開２００７−９７７１４  公報
【考案が解決しようとする課題】
【０００５】現状において市販されるメラミン樹脂発泡体は大別して２種類あり、その内容は、１．メラミン樹脂発泡体を一般清掃具とした商品と、２．メラミン樹脂発泡体を天然歯用着色物質除去用具とした商品がある。
【０００６】しかしながら現状におけてのメラミン樹脂発泡体を用いた清掃具は、手動の商品のみであった。本考案はメラミン樹脂発泡体清掃具を電動で振動させることにより効率的に微細凹部の清掃、天然歯の表面部の微細凹部に入り込んだ汚れを機械的にかき出す機能を有する清掃具を作ることを課題とした。
【課題を解決するための手段】
【０００７】本考案はメラミン樹脂発泡体部を電動で振動させる振動体を有する振動部に固着させることにより、手動よりも微細な振動をメラミン樹脂発泡体部に伝達させ、その振動により効率的に微細凹部の清掃、天然歯の表面部の微細凹部に入り込んだ汚れをより深い範囲でかつ、細かい箇所まで短時間で機械的にかき出す機能を有する清掃具を考えた。
【考案の効果】
【０００８】現状におけてのメラミン樹脂発泡体を用いた清掃具は、手動の商品のみであったため一定の時間と労力を要し、かつ微細部において清掃効果があがらないことがあった。本発明はメラミン樹脂発泡体部を電動で振動させる振動体を有する振動部に固着させることにより、手動よりも微細な振動をメラミン樹脂発泡体部に伝達させ、その振動により効率的に微細凹部の清掃、天然歯の表面部の微細凹部に入り込んだ汚れをより深い範囲でかつ、微細箇所まで短時間で機械的にかき出す清掃を可能にした。
【考案を実施するための形態】
【０００９】以下、本考案の実施の形態について説明する。
（イ）、１．メラミン樹脂発泡体部を２．電動で振動させる振動体を有する振動部に固着させる
【図面の簡単な説明】
【図１】本考案の側面図である。
【図２】本考案の上面図である。
【図３】本考案の立面図である。
【符号の説明】１  メラミン樹脂発泡体部
２  電動振動体
３  支持部材
【図１】
0003171718.tif 000003
【図２】
0003171718.tif 000004
【図３】
0003171718.tif 000005
【手続補正書】
【提出日】平成23年8月25日(2011.8.25)
【手続補正１】
【補正対象書類名】実用新案登録請求の範囲
【補正対象項目名】全文
【補正方法】変更
【補正の内容】
【実用新案登録請求の範囲】
【請求項１】
清掃を目的とする物質に対し、表面部に接触させて汚れを除去する清掃部材とこの清掃部材を取り付ける支持部材とを有する清掃具において、前記清掃部材は、前記清掃を目的とする物質の表面部の微細凹部に入り込んだ汚れを機械的にかき出すために電動で振動する振動部材と、前記振動部材を覆うメラミン樹脂発泡体を有することを特徴とする清掃具。
【請求項２】
天然歯表面部に接触させて天然歯表面部の微細凹部に入り込んだ汚れを除去することを目的とした請求項１に記載した清掃具。
(57)【要約】      （修正有）【課題】デザイン性に優れたネイキッド型バイクのカウリングを提供する。【解決手段】ライトを覆う形状であり、ライト部分を光透過性の材質にする。【選択図】図１
0003171716.tif 000002
【実用新案登録請求の範囲】
【請求項１】
光透過性の材質でライトを覆うようにしたバイク用カウリングである。
【考案の詳細な説明】
【考案の詳細な説明】
【考案が解決しようとする課題】
【０００１】  従来、ネイキッド型バイクのカウリングはライト部分に穴が開いており、デザイン性に優れていない。その為、ネイキッド型バイクに、レーサーレプリカのバイクに付いているカウリングの様な、デザイン性に優れたカウリングを付けようとするものである。
【課題を解決する為の手段】
【０００２】  上記目的を達成する為に、光透過性の材質で、ライトを覆うようにカウリングを作ることにした。
【考案の効果】
【０００３】  光透過性の材質で、ライトを覆うようにカウリングを作れば、風はよけられ、ライトの光は前を照らすことが出来、何よりカウリングをデザイン性の高い物にすることが出来る。
【図面の簡単な説明】
【図１】  本考案の使用状態を表す側面図
【符号の説明】  １  バイク
２  光透過性の材質で作ったカウリング
【図１】
0003171716.tif 000003
【手続補正書】
【提出日】平成23年6月29日(2011.6.29)
【手続補正１】
【補正対象書類名】実用新案登録請求の範囲
【補正対象項目名】全文
【補正方法】変更
【補正の内容】
【実用新案登録請求の範囲】
【請求項１】
光透過性の材質からなり、ライトを覆う形状であるバイク用カウリング。
【請求項２】
従来通りのバイク用カウリングのライト部分のみを光透過性の材質にしたバイク用カウリング。
【手続補正書】
【提出日】平成23年8月26日(2011.8.26)
【手続補正１】
【補正対象書類名】実用新案登録請求の範囲
【補正対象項目名】全文
【補正方法】変更
【補正の内容】
【実用新案登録請求の範囲】
【請求項１】
光透過性の材質からなり、ライトを覆う形状であるバイク用カウリング。
【請求項２】
ライト部分のみを光透過性の材質にしたことを特徴とする請求項１記載のカウリング。
(57)【要約】      （修正有）【課題】初期消火方法として炎の根源を狙うことが効果的であることを体験できる消火訓練用の的を提供する。【解決手段】炎を模した的１と支え板３との接続部分に的側可動部２を設け、支え板３と台座５との接続部分に台座側可動部４を設けて、的１を台座５上に立たせる。的１の下部に突起部６を設け、台座５にカギ部７を設けることで、的１の根元付近に水が当たったときのみ的１が倒れる。【選択図】図１
0003171727.tif 000002
【実用新案登録請求の範囲】
【請求項１】
炎を模した的を２箇所の可動部及び支え板により台座上に立たせ、的の下部に突起部を設けるとともに台座にカギ部を設けることで的の上部分に消火訓練用の水が当たっても的は倒れず、的の根元付近に水が当たったときのみ的が倒れる構造にしたことにより、火を消すには炎の根元を狙うことが効果的であるということを体験し、習得することができる消火訓練用の的。
【請求項２】
２箇所の可動部及び支え板により台座上に立たせた的を、台座に設定されたカギ部のみに設定又はカギ部と前抑え部の間に設定することを選択できるため、的が倒れる設定か倒れない設定かを利用者が選択できる。
【請求項３】
２箇所の可動部と支え板の働きにより未使用時には的を倒し、コンパクトに収納することができる。
【考案の詳細な説明】
【技術分野】
【０００１】
本考案は、消火器による効果的な初期消火方法を習得するための消火訓練用の標的に関するものである。
【背景技術】
【０００２】
消火器による初期消火方法を習得するため、水が充填された訓練用の消火器で炎を模した標的に対して水を放出するという形式で訓練が行われている。この訓練を楽しいものにし、訓練実施者の興味を引くことで訓練効果を得るため、的に水が当たると倒れるものや的が回転するものがある。
【０００３】
しかし、実際に火を消すには実体のない炎に消火器の薬剤をかけるだけでは消火には至らず、火の根元すなわち燃えている物に薬剤をかけなければ消火することはできない。従来の標的では、この重要な部分を体験し、習得することができないという欠点があった。
【０００４】
また、赤外線を発する訓練用消火器及び赤外線センサーと炎の映像を組み合わせたモニターを利用して消火訓練を実施する方法等もあるが、使用する機器はとても高価であり、大きく重い。
【先行技術文献】
【特許文献】
【０００５】
【特許文献１】特開２００８−１８５６３９（P２００８−１８５６３９A）
【考案の概要】
【考案が解決しようとする課題】
【０００６】
解決しようとする問題点は、従来の初期消火訓練用の標的では火を消すには火の根元すなわち燃えているもに薬剤をかけることが重要であることを体験し、習得することができない点である。
【課題を解決するための手段】
【０００７】
本考案は、初期消火訓練時において効果的な消火方法を身につけるため、炎を模した標的の上部に水が当たっても標的は倒れず、標的の根元付近に水が当たることで標的が倒れる構造にしたことを最も主要な特徴とする。
【考案の効果】
【０００８】
本考案の初期消火訓練用標的は、炎を模した標的の根元付近に水が当たることで標的が倒れる構造になっているため、訓練実施者は火を消すためには炎の根元付近を狙うことが重要であることを体験し、習得することができるという利点がある。
【図面の簡単な説明】
【０００９】
【図１】初期消火訓練用標的の実施方法を示した説明図である。
【図２】初期消火訓練用標的の実施方法を示した説明図である。
【考案を実施するための形態】
【００１０】
炎を模した標的の根元付近に水が当たったときのみ標的が倒れるという構造を確実かつ単純な方法で実現した。
【実施例】
【００１１】
図１は本考案を後方から見た図である。図２は側面図で、向かって右側が本考案の正面である。また、１〜８は図１と図２において同様である。
【００１２】
的１は炎を模した形状とし、的側可動部２と台座側可動部４及び支え板３で台座５の上に立たせることができるようにする。
【００１３】
的１の的側可動部２より上に水が当たった場合、的１の下部は的側可動部２を支点として正面方向へ動き、的１は後方へ倒れようとする。この動きを制御すると、的１全体が台座側可動部４を支点として上方向に動き、的は倒れてしまう。
【００１４】
この的１下部の正面方向への動きと上方向への動きを抑えるために、的１下部に的下突起部６を設けるとともに、台座５にカギ部７を設ける。これにより、的１の的側可動部２より上部分に水が当たっても的１は倒れることはない。すなわち、訓練としては消火に至らないということになる。
【００１５】
一方で、的１の的側可動部２より下部（根元付近）に水が当たった場合、的１の下部は的側可動部２を支点として後方に動き出し、あわせて台座側可動部４も動くため的１は倒れる。すなわち、訓練としては消火成功ということになる。
【００１６】
また、一回毎に倒れた的を起こすことがわずらわしい場合は、前抑え８とカギ部７の間に的１を立てることで、的が倒れない設定を利用者が選択できるようにした。
【産業上の利用可能性】
【００１７】
各地の自治体やマンション等の管理団体が主催する防災訓練の消火器取り扱い訓練において、効果的な初期消火技術を身につけるために利用することができる。
【符号の説明】
【００１８】
１  的
２  的側可動部
３  支え板
４  台座側可動部
５  台座
６  的下突起部
７  カギ部
８  的抑え
【図１】
0003171727.tif 000003
【図２】
0003171727.tif 000004
【手続補正書】
【提出日】平成23年9月2日(2011.9.2)
【手続補正１】
【補正対象書類名】明細書
【補正対象項目名】００１６
【補正方法】変更
【補正の内容】
【００１６】
また、一回毎に倒れた的１を起こすことがわずらわしい場合は、的抑え８とカギ部７の間に的１を立てることで、的１が倒れない設定を利用者が選択できるようにした。
【手続補正２】
【補正対象書類名】実用新案登録請求の範囲
【補正対象項目名】全文
【補正方法】変更
【補正の内容】
【実用新案登録請求の範囲】
【請求項１】
炎を模した的と支え板との接続部分に的側可動部を設け、支え板と台座との接続部分に台座側可動部を設けることで、的側可動部と台座側可動部そして支え板の働きにより的を台座上に立たせる。さらに、的の下部に突起部を設けるとともに台座にカギ部を設けることで的の上部分に消火訓練用の水が当たっても的は倒れず、的の根元付近に水が当たったときのみ的が倒れる構造にしたことにより、火を消すには炎の根元を狙うことが効果的であるということを体験し、習得することができる消火訓練用の的。
【請求項２】
請求項１の的を、台座に設定されたカギ部のみに設定又はカギ部と的抑えの間に設定することを選択できるため、的が倒れる設定か倒れない設定かを利用者が選択できることを特徴とする、請求項１記載の消火訓練用の的。
【請求項３】
請求項１及び２の的を、的側可動部及び台座側可動部そして支え板の働きにより未使用時には倒しておくことができる構造にしたことにより、コンパクトに収納することができるようにしたことを特徴とする、請求項１又は２記載の消火訓練用の的。
(57)【要約】      （修正有）【課題】釣り糸との摩擦抵抗と、水との摩擦抵抗を減らすことが出来るウキ、若しくはオモリを提供する。【解決手段】ＰＴＦＥ等のフッ素樹脂によりコーティング、又はメッキ、又はそのものを使用したリング状の部品１、５を、釣糸を通す穴４の入口や出口に付属させる。また、ウキ本体の外側３を親水性、若しくは超親水性素材でコーティングする、あるいは釣糸を通す穴の一部を細くし、釣り糸との接触面積を小さくしても良い。【選択図】図１
0003171729.tif 000002
【実用新案登録請求の範囲】
【請求項１】
親水性、若しくは超親水性素材でコーティングしていることを特徴とするウキ、若しくはオモリ。
【請求項２】
PTFE等のフッ素樹脂によりコーティング、又はメッキ、又はそのものを使用したリング状の部品が、釣り糸を通す穴の入口や出口に付属していることを特徴とするウキ、若しくはオモリ。
【請求項３】
釣り糸を通す穴の一部を細くし、釣り糸との接触面積を小さくした事を特徴とするウキ若しくはオモリ。
【請求項４】
請求項２記載の特徴と、請求項３記載の特徴を併せ持つウキ、若しくはオモリ。
【請求項５】
請求項１記載の特徴と、請求項２記載の特徴と、請求項３記載の特徴を併せ持つウキ、若しくはオモリ。
【考案の詳細な説明】
【技術分野】
【０００１】
本発明は魚釣りに使用されるウキとオモリに関するものである。
【先行技術文献】
【特許文献】
【０００２】
【特許文献１】特開２０１１−１０３８６７号公報
【考案の概要】
【考案の効果】
【０００３】
従来のウキやオモリよりも、釣り糸との摩擦抵抗や、水との摩擦抵抗を減らし、移動がスムーズとなる。
これにより、魚の微細な当たりに高感度となり、従来のウキやオモリに比べ、より多くの釣果が期待できる。
更に、磨耗や摩擦熱による糸溝、傷を防止できる。
【図面の簡単な説明】
【０００４】
【図１】ウキ全体の断面図
【図２】ウキ全体の上面図
【図３】リングの拡大図
【図１】
0003171729.tif 000003
【図２】
0003171729.tif 000004
【図３】
0003171729.tif 000005
【手続補正書】
【提出日】平成23年8月22日(2011.8.22)
【手続補正２】
【補正対象書類名】実用新案登録請求の範囲
【補正対象項目名】全文
【補正方法】変更
【補正の内容】
【実用新案登録請求の範囲】
【請求項１】
ＰＴＦＥ等のフッ素樹脂によりコーティング、又はメッキ、又はそのものを使用したリング状の部品が、釣糸を通す穴の入口や出口に付属していることを特徴とするウキ、若しくはオモリ。
【請求項２】
親水性、若しくは超親水性素材でコーティングしていることを特徴とする請求項１記載のウキ、若しくはオモリ。
【請求項３】
釣糸を通す穴の一部を細くし、釣り糸との接触面積を小さくした事を特徴とする請求項１記載のウキ、若しくはオモリ。
(57)【要約】      （修正有）【課題】携帯電話のマイク付きイヤホーンを簡単に装着することができ、卓上電話機の受話器のように使用できる受話ケースを提供する。【解決手段】携帯電話のマイク付イヤホーンのスピーカーが装着されるスピーカー収納溝６、７と、マイクが装着されるマイク収納溝４を有し、マイクが装着される裏面部分にスイッチ穴が設けられる。【選択図】図２
0003171722.tif 000002
【実用新案登録請求の範囲】
【請求項１】
携帯電話のマイク付きイヤホーンのスピーカーとマイクを携帯電話イヤホーン用受話ケース（１）のスピーカー収納溝（７）（８）に装着し、また、マイク収納溝に装着し、マイクの裏面にあるスイッチ穴（９）を押すことにより通話ができるよう名形状にし、卓上用の電話機の受話器の構成と同じように使用して通話することができる。
【考案の詳細な説明】
【技術分野】
【０００１】  携帯電話のマイク付きイヤホーンを携帯電話イヤホーン用受話ケースに装着することに関するものである。
【背景技術】
【０００２】携帯電話に付属されているマイク付きイヤホーンを耳に挿入して電話をしていた。
【考案の概要】
【考案が解決しようとする課題】
【０００３】携帯電話をマイク付きイヤホーンで通話をしていると周りの人から独り言をする人に見られる。携帯電話でマイク付きイヤホーンは、電話がかかってきた時に耳にイヤホーンをするのが面倒である。
【課題を解決するための手段】
【０００４】マイク付きイヤホーンのイヤホーンとマイクの部分を携帯電話イヤホーン用受話ケースに装着して、卓上電話機の受話器のようにして通話ができるようにする。携帯電話イヤホーン用受話ケースに装着することで、通話が容易にできるようになる。
【考案の効果】
【０００５】電話をしている時に見た目がよく、卓上用の電話の受話器を使用している感覚で通話ができる。また、イヤホーンでの通話なので、携帯電話本体から人体（脳）に悪い電波を防ぐことができる。
【図面の簡単な説明】
【０００６】
【図１】本発明の正面図
【図２】本発明の側面からの断面図である。
【考案を実施するための形態】
【０００７】以下、本発明を実施するための形態について説明する。
合成樹脂や金属等で作られた本体（１）に、イヤホーンのスピーカーの音が出る穴（２）とイヤホーンのマイクの穴（３）が開けてある。内部はマイク収納溝（４）イヤホーンのケーブルの収納溝（５）、使用しないスピーカー収納溝（６）、使用するスピーカーの収納溝（７）、マイク付きイヤホーンのケーブル穴（８）、マイク付きイヤホーンのスイッチを押す穴（９）から本体は形成され，本体の底（１０）に本体の蓋（１１）が被さるようになっている。尚、点線部分はマイク付きイヤホーンを表している。
【符号の説明】
【０００８】  １  本体
２  スピーカー穴
３  マイク穴
４  マイク収納溝
５  余分なケーブル収納溝
６  使用しないスピーカー収納溝
７  使用するピーカー収納溝
８  ケーブル穴
９  スイッチを押せる穴
１０  本体底
１１  本体蓋
【図１】
0003171722.tif 000003
【図２】
0003171722.tif 000004
【手続補正書】
【提出日】平成23年8月29日(2011.8.29)
【手続補正１】
【補正対象書類名】実用新案登録請求の範囲
【補正対象項目名】全文
【補正方法】変更
【補正の内容】
【実用新案登録請求の範囲】
【請求項１】
携帯電話のマイク付きイヤホーンのスピーカーが携帯電話イヤホーン用受話ケース（１）のスピーカー収納溝（７）（６）に装着され、マイクがマイク収納溝（４）に装着され、マイクが装着される裏面部分にスイッチ穴（９）が設けられ、卓上の電話機と同じように使用して通話ができる携帯電話イヤホーン用受話ケース。
(57)【要約】      （修正有）【課題】飲料収容部に挿入するプレート付長尺金具を設けて、背の低い飲料物でも取り出すことができるようにした単本用電子温冷庫を提供する。【解決手段】飲料収納部１に長い縦溝を設け、その縦溝に納まるように飲料物を載せるプレートの付いた長尺金具４を設置し、その長尺金具４をエレベーターのように上下することによって、プレートに載った飲料物を取り出せるようにした。また、取り出す都度、長尺金具４を上下しなくてもよいように長尺金具４にネジ穴５を開け、別途温冷庫本体に設置したローレットビス固定用金具６と共にネジ止めすることにより、飲料収納部１の任意の位置に飲料物を留めることができるようにした。【選択図】図１
0003171761.tif 000002
【実用新案登録請求の範囲】
【請求項１】
単本用電子温冷庫の飲料収納部に、飲料物を上下することができるプレートの付いた長尺金具を備えたことを特徴とする単本用電子温冷庫。
【請求項２】
単本用電子温冷庫の飲料収納部に、飲料物上下用のプレートの付いた長尺金具の通り道となる縦溝を備えたことを特徴とする、請求項１記載の単本用電子温冷庫。
【考案の詳細な説明】
【技術分野】
【０００１】本考案は、単本用電子温冷庫の飲料収納部に関するものである。
【背景技術】
【０００２】従来は、背の低い容器を容易に取り出すことができる単本用電子温冷庫はなかった。
【先行技術文献】
【０００３】
【特許文献１】  特開平０８−６１８１９号公報（第３頁）
【考案の概要】
【考案が解決しようとする課題】
【０００４】既存の単本用電子温冷庫は、背の高い５００ミリリットルのペットボトル、又は５００ミリリットルの缶の使用を前提に製造されており、背の低いペットボトルは取り出しにくく、開缶した背の低い缶や紙カップは、一度入れてしまうと取り出すことができないため、加温自体をあきらめなければならないという難点があった。
【課題を解決するための手段】
【０００５】飲料収納部（１）に長い縦溝（２）を設け、その縦溝（２）に納まるように飲料物を載せるプレートの付いた長尺金具（４）を設置し、その長尺金具（４）をエレベーターのように上下することによって、プレートに載った飲料物を取り出せるようにした。また、取り出す都度、長尺金具（４）を上下しなくてもよいように長尺金具（４）にネジ穴を開け、別途温冷庫本体に設置したローレットビス固定用金具（６）と共にネジ止めすることにより、飲料収納部（１）の任意の位置に飲料物を留めることができるようにした。
【考案の効果】
【０００６】プレート付き長尺金具（４）の設置によって、背の低い飲料物でも常に適温を保持し、飲料収納部（１）から取り出して美味しく飲める。また、冷気は下部に暖気は上部に移動する原理に合わせて、飲料物を飲料収納部（１）内で移動し固定することが可能になったため、最適な加温状態を維持できる。
【図面の簡単な説明】
【０００７】
【図１】考案した飲料収納部と各金具の使用状態を示す、温冷庫全体の斜視図である。
【図２】考案した飲料収納部に対する長尺金具の動きを、白抜き矢印で示した全体の斜視図である。
【図３】考案した飲料収納部上部に、ローレットビス固定用金具を取り付けた斜視図である。
【図４】考案したローレットビス固定用金具に、長尺金具をローレットビスにて固定した状態を示す、本体右面からの側面図である。
【図５】考案した長尺金具、ローレットビス固定用金具、既製品のネジ、既製品のローレットビスを示した斜視図である。
【考案を実施するための形態】
【０００８】以下、本考案の実施の形態について説明する。
（イ）ローレットビス固定用金具（６）を縦溝（２）上部のネジ穴（３）に合わせ、固定用ネジ２個（８）にて固定する。
（ロ）プレート付き長尺金具（４）を、飲料収納部（１）にある縦溝（２）に合わせ入れる。
（ハ）長尺金具（４）を上下し、飲料物の取り出しやすい位置を決めた上で、長尺金具（４）に開けられたネジ穴（５）の任意の穴と、ローレットビス固定用金具（６）に開けられたローレットビス固定用ネジ穴（７）を合わせ、ローレットビス（９）にてローレットビス固定用金具（６）背面より固定する。５００ミリリットルサイズの飲料の収納時、または背の低い飲料物でも任意の位置で固定する必要がない場合は、上記の作業は必要ない。長尺金具（４）を一番下に下ろした状態にすれば、長尺金具（４）を撤去しなくとも使用することができる。
【符号の説明】
【０００９】  １  飲料収納部
２  縦溝
３  縦溝上部ネジ穴
４  長尺金具
５  長尺金具ネジ穴
６  ローレットビス固定用金具
７  ローレットビス固定用ネジ穴
８  固定用ネジ２個
９  ローレットビス
【図１】
0003171761.tif 000003
【図２】
0003171761.tif 000004
【図３】
0003171761.tif 000005
【図４】
0003171761.tif 000006
【図５】
0003171761.tif 000007